【手続補正書】
【提出日】平成19年7月17日(2007.7.17)
【手続補正１】
【補正対象書類名】明細書
【補正対象項目名】発明の名称
【補正方法】変更
【補正の内容】
【発明の名称】通信システム、通信端末装置及びその制御方法、通信方法並びに記憶媒体
【手続補正２】
【補正対象書類名】明細書
【補正対象項目名】特許請求の範囲
【補正方法】変更
【補正の内容】
【特許請求の範囲】
【請求項１】  通信依頼装置と通信端末装置とがネットワークで接続され、前記通信依頼装置からの送信依頼に基づき前記通信端末装置が通信機器に送信データを送信するように構成された通信システムであって、
前記通信依頼装置は、
前記送信データの送信先のアドレスを入力する送信先アドレス入力手段と、
前記送信データの前記通信端末装置による送信結果の通知の態様を規定する通知態様情報を入力する通知態様情報入力手段と、
前記送信データの前記通信端末装置による送信結果の通知先のアドレスを入力する結果通知先アドレス入力手段と、
前記送信先アドレス入力手段により入力された送信先のアドレス、前記通知態様情報入力手段により入力された通知態様情報及び前記結果通知先アドレス入力手段により入力された送信結果の通知先のアドレスを、前記送信データと共に前記通信依頼装置に送信して該送信データの送信を依頼する送信依頼手段とを備え、
前記通信端末装置は、
前記送信依頼手段により送信された送信先のアドレス、通知態様情報、通知先のアドレス及び送信データを受信する送信データ受信手段と、
該送信データ受信手段により受信された送信先のアドレスに基づいて前記受信された送信データを送信する送信データ送信手段と、
該送信データ送信手段による送信結果を判別する結果判別手段と、
前記送信データ受信手段により受信された通知態様情報及び通知先のアドレスに基づいて、前記結果判別手段により判別された送信結果の通知処理を行う結果通知処理手段とを備えたことを特徴とする通信システム。
【請求項２】  前記通知態様情報入力手段は、前記通知態様情報として、「常時通知」、「エラー時のみ通知」、及び「非通知」のいずれかを選択して入力可能であり、前記結果通知処理手段は、前記通知態様情報として前記「常時通知」が選択されている場合は前記判別された送信結果が「送信成功」であるか「送信失敗」であるかに関わらず常に通知を行い、前記通知態様情報として前記「エラー時のみ通知」が選択されている場合は前記判別された送信結果が「送信失敗」である場合にのみ通知を行い、前記通知態様情報として前記「非通知」が選択されている場合は前記判別された送信結果が「送信成功」であるか「送信失敗」であるかに関わらず通知を禁止することを特徴とする請求項１記載の通信システム。
【請求項３】  前記結果通知処理手段は、前記結果判別手段により判別された送信結果を示すレポートを作成し、該作成したレポートを前記送信データ受信手段により受信された通知先のアドレスに対して送信することを特徴とする請求項１または２記載の通信システム。
【請求項４】  前記通知先のアドレスは、前記通信依頼装置のアドレスであることを特徴とする請求項１〜３のいずれか１項に記載の通信システム。
【請求項５】  前記送信依頼手段により前記通信端末装置に送信される送信先のアドレス、通知態様情報、通知先のアドレス及び送信データは、パケットとして送信されることを特徴とする請求項１〜４のいずれか１項に記載の通信システム。
【請求項６】  通信依頼装置にネットワークで接続され、前記通信依頼装置からの送信依頼に基づき通信機器に送信データを送信するように構成された通信端末装置であって、
前記通信依頼装置から送信される、送信先のアドレス、送信結果の通知の態様を規定する通知態様情報、送信結果の通知先のアドレス及び送信データを受信する送信データ受信手段と、
該送信データ受信手段により受信された送信先のアドレスに基づいて前記受信された送信データを送信する送信データ送信手段と、
該送信データ送信手段による送信結果を判別する結果判別手段と、
前記送信データ受信手段により受信された通知態様情報及び通知先のアドレスに基づいて、前記結果判別手段により判別された送信結果の通知処理を行う結果通知処理手段とを備えたことを特徴とする通信端末装置。
【請求項７】  前記通知態様情報は、「常時通知」、「エラー時のみ通知」、及び「非通知」のいずれかが選択されたものであり、前記結果通知処理手段は、前記通知態様情報として前記「常時通知」が選択されている場合は前記判別された送信結果が「送信成功」であるか「送信失敗」であるかに関わらず常に通知を行い、前記通知態様情報として前記「エラー時のみ通知」が選択されている場合は前記判別された送信結果が「送信失敗」である場合にのみ通知を行い、前記通知態様情報として前記「非通知」が選択されている場合は前記判別された送信結果が「送信成功」であるか「送信失敗」であるかに関わらず通知を禁止することを特徴とする請求項６記載の通信端末装置。
【請求項８】  前記結果通知処理手段は、前記結果判別手段により判別された送信結果を示すレポートを作成し、該作成したレポートを前記送信データ受信手段により受信された通知先のアドレスに対して送信することを特徴とする請求項６または７記載の通信端末装置。
【請求項９】  前記通知先のアドレスは、前記通信依頼装置のアドレスであることを特徴とする請求項６〜８のいずれか１項に記載の通信端末装置。
【請求項１０】  前記通信依頼装置から送信される送信先のアドレス、通知態様情報、通知先のアドレス及び送信データは、パケットとして送信されることを特徴とする請求項６〜９のいずれか１項に記載の通信端末装置。
【請求項１１】  通信依頼装置と通信端末装置とがネットワークで接続され前記通信依頼装置からの送信依頼に基づき前記通信端末装置が通信機器に送信データを送信するように構成された通信システムにおける通信方法であって、
前記通信依頼装置において、
前記送信データの送信先のアドレスを入力する送信先アドレス入力工程と、
前記送信データの前記通信端末装置による送信結果の通知の態様を規定する通知態様情報を入力する通知態様情報入力工程と、
前記送信データの前記通信端末装置による送信結果の通知先のアドレスを入力する結果通知先アドレス入力工程と、
前記送信先アドレス入力工程により入力された送信先のアドレス、前記通知態様情報入力工程により入力された通知態様情報及び前記結果通知先アドレス入力工程により入力された送信結果の通知先のアドレスを、前記送信データと共に前記通信依頼装置に送信して該送信データの送信を依頼する送信依頼工程とを有し、
さらに前記通信端末装置において、
前記送信依頼工程により送信された送信先のアドレス、通知態様情報、通知先のアドレス及び送信データを受信する送信データ受信工程と、
該送信データ受信工程により受信された送信先のアドレスに基づいて前記受信された送信データを送信する送信データ送信工程と、
該送信データ送信工程による送信結果を判別する結果判別工程と、
前記送信データ受信工程により受信された通知態様情報及び通知先のアドレスに基づいて、前記結果判別工程により判別された送信結果の通知処理を行う結果通知処理工程とを有することを特徴とする通信方法。
【請求項１２】  前記通知態様情報入力工程は、前記通知態様情報として、「常時通知」、「エラー時のみ通知」、及び「非通知」のいずれかを選択して入力可能であり、前記結果通知処理工程は、前記通知態様情報として前記「常時通知」が選択されている場合は前記判別された送信結果が「送信成功」であるか「送信失敗」であるかに関わらず常に通知を行い、前記通知態様情報として前記「エラー時のみ通知」が選択されている場合は前記判別された送信結果が「送信失敗」である場合にのみ通知を行い、前記通知態様情報として前記「非通知」が選択されている場合は前記判別された送信結果が「送信成功」であるか「送信失敗」であるかに関わらず通知を禁止することを特徴とする請求項１１記載の通信方法。
【請求項１３】  前記結果通知処理工程は、前記結果判別工程により判別された送信結果を示すレポートを作成し、該作成したレポートを前記送信データ受信工程により受信された通知先のアドレスに対して送信することを特徴とする請求項１１または１２記載の通信方法。
【請求項１４】  前記通知先のアドレスは、前記通信依頼装置のアドレスであることを特徴とする請求項１１〜１３のいずれか１項に記載の通信方法。
【請求項１５】  前記送信依頼工程により前記通信端末装置に送信される送信先のアドレス、通知態様情報、通知先のアドレス及び送信データは、パケットとして送信されることを特徴とする請求項１１〜１４のいずれか１項に記載の通信方法。
【請求項１６】  通信依頼装置にネットワークで接続され、前記通信依頼装置からの送信依頼に基づき通信機器に送信データを送信するように構成された通信端末装置を制御する通信端末装置の制御方法であって、
前記通信依頼装置から送信される、送信先のアドレス、送信結果の通知の態様を規定する通知態様情報、送信結果の通知先のアドレス及び送信データを受信する送信データ受信工程と、
該送信データ受信工程により受信された送信先のアドレスに基づいて前記受信された送信データを送信する送信データ送信工程と、
該送信データ送信工程による送信結果を判別する結果判別工程と、
前記送信データ受信工程により受信された通知態様情報及び通知先のアドレスに基づいて、前記結果判別工程により判別された送信結果の通知処理を行う結果通知処理工程とを有することを特徴とする通信端末装置の制御方法。
【請求項１７】  前記通知態様情報は、「常時通知」、「エラー時のみ通知」、及び「非通知」のいずれかが選択されたものであり、前記結果通知処理工程は、前記通知態様情報として前記「常時通知」が選択されている場合は前記判別された送信結果が「送信成功」であるか「送信失敗」であるかに関わらず常に通知を行い、前記通知態様情報として前記「エラー時のみ通知」が選択されている場合は前記判別された送信結果が「送信失敗」である場合にのみ通知を行い、前記通知態様情報として前記「非通知」が選択されている場合は前記判別された送信結果が「送信成功」であるか「送信失敗」であるかに関わらず通知を禁止することを特徴とする請求項１６記載の通信端末装置の制御方法。
【請求項１８】  前記結果通知処理工程は、前記結果判別工程により判別された送信結果を示すレポートを作成し、該作成したレポートを前記送信データ受信工程により受信された通知先のアドレスに対して送信することを特徴とする請求項１６または１７記載の通信端末装置の制御方法。
【請求項１９】  前記通知先のアドレスは、前記通信依頼装置のアドレスであることを特徴とする請求項１６〜１８のいずれか１項に記載の通信端末装置の制御方法。
【請求項２０】  前記通信依頼装置から送信される送信先のアドレス、通知態様情報、通知先のアドレス及び送信データは、パケットとして送信されることを特徴とする請求項１６〜１９のいずれか１項に記載の通信端末装置の制御方法。
【請求項２１】  通信端末装置にネットワークで接続され、通信機器への送信データの送信を前記通信端末装置に対して依頼するように構成された通信依頼装置を制御する通信依頼装置の制御方法で使用されるプログラムを記憶した記憶媒体であって、
前記送信データの送信先のアドレスを入力する送信先アドレス入力工程のコードと、
前記送信データの前記通信端末装置による送信結果の通知の態様を規定する通知態様情報を入力する通知態様情報入力工程のコードと、
前記送信データの前記通信端末装置による送信結果の通知先のアドレスを入力する結果通知先アドレス入力工程のコードと、
前記送信先アドレス入力工程のコードにより入力された送信先のアドレス、前記通知態様情報入力工程のコードにより入力された通知態様情報及び前記結果通知先アドレス入力工程のコードにより入力された送信結果の通知先のアドレスを、前記送信データと共に前記通信依頼装置に送信して該送信データの送信を依頼する送信依頼工程のコードとを記憶したことを特徴とする記憶媒体。
【手続補正３】
【補正対象書類名】明細書
【補正対象項目名】０００１
【補正方法】変更
【補正の内容】
【０００１】
【発明の属する技術の分野】
本発明は、ネットワークを通じて送信データの送信が依頼され、その依頼に基づいて送信が行われる通信システム、通信端末装置及びその制御方法、通信方法並びに記憶媒体に関する。
【手続補正４】
【補正対象書類名】明細書
【補正対象項目名】００１４
【補正方法】変更
【補正の内容】
【００１４】
本発明は上記従来技術の問題を解決するためになされたものであり、その目的は、依頼した送信の結果を容易に且つ確実に知ることができる通信システム、通信端末装置及びその制御方法、通信方法並びに記憶媒体を提供することにある。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
同じ目的を達成するために本発明の請求項６の通信端末装置は、通信依頼装置にネットワークで接続され、前記通信依頼装置からの送信依頼に基づき通信機器に送信データを送信するように構成された通信端末装置であって、前記通信依頼装置から送信される、送信先のアドレス、送信結果の通知の態様を規定する通知態様情報、送信結果の通知先のアドレス及び送信データを受信する送信データ受信手段と、該送信データ受信手段により受信された送信先のアドレスに基づいて前記受信された送信データを送信する送信データ送信手段と、該送信データ送信手段による送信結果を判別する結果判別手段と、前記送信データ受信手段により受信された通知態様情報及び通知先のアドレスに基づいて、前記結果判別手段により判別された送信結果の通知処理を行う結果通知処理手段とを備えたことを特徴とする。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】変更
【補正の内容】
【００２８】
同じ目的を達成するために本発明の請求項１１の通信方法は、通信依頼装置と通信端末装置とがネットワークで接続され前記通信依頼装置からの送信依頼に基づき前記通信端末装置が通信機器に送信データを送信するように構成された通信システムにおける通信方法であって、前記通信依頼装置において、前記送信データの送信先のアドレスを入力する送信先アドレス入力工程と、前記送信データの前記通信端末装置による送信結果の通知の態様を規定する通知態様情報を入力する通知態様情報入力工程と、前記送信データの前記通信端末装置による送信結果の通知先のアドレスを入力する結果通知先アドレス入力工程と、前記送信先アドレス入力工程により入力された送信先のアドレス、前記通知態様情報入力工程により入力された通知態様情報及び前記結果通知先アドレス入力工程により入力された送信結果の通知先のアドレスを、前記送信データと共に前記通信依頼装置に送信して該送信データの送信を依頼する送信依頼工程とを有し、さらに前記通信端末装置において、前記送信依頼工程により送信された送信先のアドレス、通知態様情報、通知先のアドレス及び送信データを受信する送信データ受信工程と、該送信データ受信工程により受信された送信先のアドレスに基づいて前記受信された送信データを送信する送信データ送信工程と、該送信データ送信工程による送信結果を判別する結果判別工程と、前記送信データ受信工程により受信された通知態様情報及び通知先のアドレスに基づいて、前記結果判別工程により判別された送信結果の通知処理を行う結果通知処理工程とを有することを特徴とする。
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】変更
【補正の内容】
【００３６】
同じ目的を達成するために本発明の請求項１６の通信端末装置の制御方法は、通信依頼装置にネットワークで接続され、前記通信依頼装置からの送信依頼に基づき通信機器に送信データを送信するように構成された通信端末装置を制御する通信端末装置の制御方法であって、前記通信依頼装置から送信される、送信先のアドレス、送信結果の通知の態様を規定する通知態様情報、送信結果の通知先のアドレス及び送信データを受信する送信データ受信工程と、該送信データ受信工程により受信された送信先のアドレスに基づいて前記受信された送信データを送信する送信データ送信工程と、該送信データ送信工程による送信結果を判別する結果判別工程と、前記送信データ受信工程により受信された通知態様情報及び通知先のアドレスに基づいて、前記結果判別工程により判別された送信結果の通知処理を行う結果通知処理工程とを有することを特徴とする。
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】変更
【補正の内容】
【００４１】
同じ目的を達成するために本発明の請求項２１の記憶媒体は、通信端末装置にネットワークで接続され、通信機器への送信データの送信を前記通信端末装置に対して依頼するように構成された通信依頼装置を制御する通信依頼装置の制御方法で使用されるプログラムを記憶した記憶媒体であって、前記送信データの送信先のアドレスを入力する送信先アドレス入力工程のコードと、前記送信データの前記通信端末装置による送信結果の通知の態様を規定する通知態様情報を入力する通知態様情報入力工程のコードと、前記送信データの前記通信端末装置による送信結果の通知先のアドレスを入力する結果通知先アドレス入力工程のコードと、前記送信先アドレス入力工程のコードにより入力された送信先のアドレス、前記通知態様情報入力工程のコードにより入力された通知態様情報及び前記結果通知先アドレス入力工程のコードにより入力された送信結果の通知先のアドレスを、前記送信データと共に前記通信依頼装置に送信して該送信データの送信を依頼する送信依頼工程のコードとを記憶したことを特徴とする。
【手続補正３１】
【補正対象書類名】明細書
【補正対象項目名】００４２
【補正方法】削除
【補正の内容】